(57)【特許請求の範囲】
【請求項１】
電源側に電気的に接続される第１導電部材を有する第１ブロック部と、負荷側に電気的に接続される第２導電部材を有する第２ブロック部と、前記第１ブロック部と前記第２ブロック部の連結位置に設けられたピン挿入孔と、前記ピン挿入孔に挿入可能で、前記第１導電部材と前記第２導電部材の間を電気的に接続したり、遮断したりできる電源断続用ピンとを備えたことを特徴とする電源断続構造。
【請求項２】
請求項１記載の電源断続構造であって、
前記第１ブロック部と前記第２ブロック部は別部材として構成され、前記ピン挿入孔は前記第１ブロック部に設けられた第１挿入孔部と前記第２ブロック部に設けられた第２挿入孔部から構成され、
前記電源断続用ピンを前記ピン挿入孔に挿入することによって前記第１ブロック部と前記第２ブロック部が連結されると共に前記第１導電部材と前記第２導電部材の間が電気的に接続され、前記電源断続用ピンを前記ピン挿入孔より離脱することによって前記第１ブロック部と前記第２ブロック部の連結が解除されると共に前記第１導電部材と前記第２導電部材の間が電気的に遮断されることを特徴とする電源断続構造。
【請求項３】
請求項１記載の電源断続構造であって、
前記第１ブロック部と前記第２ブロック部は一体部材として構成され、前記ピン挿入孔に挿入された前記電源断続用ピンの回転位置によって前記第１導電部材と前記第２導電部材間が前記電源断続用ピンを介して電気的に接続されたり、遮断されることを特徴とする電源断続構造。
【請求項４】
請求項１〜請求項３のいずれかに記載の電源断続構造を用いたことを特徴とする電源分配器。
【発明の詳細な説明】
【技術分野】
【０００１】
本発明は、電源回路を接続したり、遮断したりする電源断続構造及び電源分配器に関する。
【背景技術】
【０００２】
従来の電源断続構造としては、車両に搭載される電気接続箱に適用されたものが提案さてれている（特許文献１参照）。この電気接続箱１００は、図８及び図９に示すように、接続箱本体１０１とこれの開口を開閉するカバー１１０とを備えている。接続箱本体１０１には、電源（バッテリー）側に接続される第１バスバー１０２と負荷側に接続される第２バスバー１０３が配置されている。第１バスバー１０２と第２バスバー１０３は、時計等のバッテリー直結部品に電源を供給する暗電流回路（電源回路）の一部を構成している。第１バスバー１０２と第２バスバー１０３の各端部には、互いに近接配置される接続端子１０２ａ,１０３ａがそれぞれ設けられている。
【０００３】
カバー１１０には、内面側に突出するタブ部１１１が設けられている。カバー１１０を接続箱本体１０１に装着すると、図８に示すように、タブ部１１１が第２バスバー１０３の接続端子１０３ａを押圧して接続端子１０３ａが撓み変形する。この撓み変形によって双方の接続端子１０２ａ，１０３ａ間が接触し、暗電流回路が電気的に接続される。接続箱本体１０１の開口を閉塞していたカバー１１０を接続箱本体１０１より取り外すと、図９に示すように、タブ部１１１が第２バスバー１０３の接続端子１０３ａの押圧を解除して接続端子１０３ａが撓み復帰変形する。この復帰変形によって双方の接続端子１０２ａ，１０３ａ間が非接触となり、暗電流回路が遮断される。
【０００４】
この従来例では、カバー１１０の開閉に連動して暗電流回路の断続を行うようになっている。
【先行技術文献】
【特許文献】
【０００５】
【特許文献１】特開平７−２２２３０号公報
【発明の概要】
【発明が解決しようとする課題】
【０００６】
しかしながら、前記従来の電源断続構造では、回路断続をカバー１１０の開閉とは無関係に行うことができないため、長期不使用時やメンテナンス時の回路断続を容易に行うことができない。例えば長期不使用時には、カバー１１０を閉じた状態で回路を断続状態としたい場合もあるが、その場合にはタブ部１１１が接続端子１０３ａを押圧しないように工夫しなければならない。
【０００７】
一方、他の従来例として、接続箱本体内に専用のスイッチ部を設けたものもある。この他の従来例では、接続箱本体内にスイッチ部のための専用スペースを確保しなければならないという問題がある。
【０００８】
そこで、本発明は、前記した課題を解決すべくなされたものであり、長期不使用時やメンテナンス時の回路断続操作を容易に行うことができ、しかも、スイッチ部の専用スペースが必要でない電源断続構造及び電源分配器を提供することを目的とする。
【課題を解決するための手段】
【０００９】
請求項１の発明は、電源側に電気的に接続される第１導電部材を有する第１ブロック部と、負荷側に電気的に接続される第２導電部材を有する第２ブロック部と、前記第１ブロック部と前記第２ブロック部の連結位置に設けられたピン挿入孔と、前記ピン挿入孔に挿入可能で、前記第１導電部材と前記第２導電部材の間を電気的に接続したり、遮断したりできる電源断続用ピンとを備えたことを特徴とする電源断続構造である。
【００１０】
請求項２の発明は、請求項１記載の電源断続構造であって、前記第１ブロック部と前記第２ブロック部は別部材として構成され、前記ピン挿入孔は前記第１ブロック部に設けられた第１挿入孔部と前記第２ブロック部に設けられた第２挿入孔部から構成され、前記電源断続用ピンを前記ピン挿入孔に挿入することによって前記第１ブロック部と前記第２ブロック部が連結されると共に前記第１導電部材と前記第２導電部材の間が電気的に接続され、前記電源断続用ピンを前記ピン挿入孔より離脱することによって前記第１ブロック部と前記第２ブロック部の連結が解除されると共に前記第１導電部材と前記第２導電部材の間が電気的に遮断されることを特徴とする電源断続構造である。
【００１１】
請求項３の発明は、請求項１記載の電源断続構造であって、前記第１ブロック部と前記第２ブロック部は一体部材として構成され、前記ピン挿入孔に挿入された前記電源断続用ピンの回転位置によって前記第１導電部材と前記第２導電部材間が前記電源断続用ピンを介して電気的に接続されたり、遮断されることを特徴とする電源断続構造である。
【００１２】
請求項４の発明は、請求項１〜請求項３のいずれかに記載の電源断続構造を用いたことを特徴とする電源分配器である。
【発明の効果】
【００１３】
請求項１の発明によれば、第１ブロック部と第２ブロック部の連結位置に配置される電源断続用ピンによって回路の断続を行うことができるため、長期不使用時やメンテナンス時の回路断続操作が容易にできる。又、電源断続用ピンは、第１導電部材を有する第１ブロック部と第２導電部を有する第２ブロック部の連結箇所に配置されるため、スイッチ部の専用スペースが必要ない。
【００１４】
請求項２の発明によれば、電源断続用ピンの装着と離脱によって回路の断続を行うことができる。
【００１５】
請求項３の発明によれば、電源断続用ピンの回転によって回路の断続を行うことができるため、回路断続操作が非常に簡単である。
【００１６】
請求項４の発明によれば、電源分配器の位置で回路の断続を行うことができるため、電源系統の集中管理が可能である。
【図面の簡単な説明】
【００１７】
【図１】本発明の第１実施形態を示し、（ａ）は電源分配器のヒューズブロックの要部分解斜視図、（ｂ）は電源分配器のヒューズブロックの要部断面図である。
【図２】本発明の第１実施形態を示し、（ａ）は第１バスバーと第２バスバー間が電源断続用ピンによって電気的に接続された状態を示す分解斜視図、（ｂ）は第１バスバーと第２バスバー間が電気的に遮断されている状態を示す斜視図である。
【図３】本発明の第１実施形態を示し、電源断続用ピンの断面図である。
【図４】本発明の第２実施形態を示し、（ａ）は電源分配器のヒューズブロックの要部平面図、（ｂ）は電源分配器のヒューズブロックの要部正面図、（ｃ）は電源分配器のヒューズブロックの要部側面図である。
【図５】本発明の第２実施形態を示し、電源断続用ピンの斜視図である。
【図６】本発明の第２実施形態を示し、（ａ）は電源断続用ピンがオン位置である場合の図４（ｃ）のＢ部拡大図、（ｂ）は電源断続用ピンがオン位置である場合の図４（ｂ）のＡ−Ａ線断面図である。
【図７】本発明の第２実施形態を示し、（ａ）は電源断続用ピンがオフ位置である場合の図４（ｃ）のＢ部拡大図、（ｂ）は電源断続用ピンがオフ位置である場合の図４（ｂ）のＡ−Ａ線断面図である。
【図８】従来例を示し、回路が接続状態である場合の電気接続箱の断面図である。
【図９】従来例を示し、回路が遮断状態である場合の電気接続箱の断面図である。
【発明を実施するための形態】
【００１８】
以下、本発明の実施形態を図面に基づいて説明する。
【００１９】
（第１実施形態）
図１〜図３は本発明の電源断続構造を電源分配器のヒューズブロックに適用した第１実施形態を示し、図１（ａ）は電源分配器のヒューズブロック１Ａの要部分解斜視図、図１（ｂ）は電源分配器のヒューズブロック１Ａの要部断面図、図２（ａ）は第１バスバー３と第２バスバー１１間が電源断続用ピン２０Ａによって電気的に接続された状態を示す分解斜視図、図２（ｂ）は、第１バスバー３と第２バスバー１１間が電気的に遮断されている状態を示す斜視図、図３は電源断続用ピン２０Ａの断面図である。
【００２０】
図１〜図３に示すように、電源分配器は車両に搭載されている。この電源分配器のヒューズブロック１Ａは、第１ブロック部２と第２ブロック部１０と電源断続用ピン２０Ａとを備えている。第１ブロック部２と第２ブロック部１０は別部材にて構成されており、これらブロック部２，１０間が電源断続用ピン２０Ａによって連結されている。
【００２１】
第１ブロック部２は、導電性の第１導電部材である第１バスバー３と、この第１バスバー３の適所を被うように配置された第１絶縁樹脂層４とから構成されている。第１バスバー３は、平板部５とこの平板部５の一辺に沿って設けられた第１挿入孔部６とから構成されている。平板部５には、接続用孔５ａが形成されている。接続用孔５ａの周囲は、第１絶縁樹脂層４が配置されずに平板部５が露出されている。この接続用孔５ａを用いてバッテリ接続端子（図示せず）が固定され、バッテリ接続端子を介してバッテリポスト（図示せず）に直付けされる。つまり、第１バスバー３は、電源（バッテリー）側に接続されている。第１挿入孔部６は、間隔を置いて設けられた複数のリング部６ａより構成されている。各リング部６ａの外周には、第１絶縁樹脂層４の噛み合いリブ部４ａが設けられている。
【００２２】
第２ブロック部１０は、導電性の第２導電部材である第２バスバー１１と、この第２バスバー１１の適所を被うように配置された第２絶縁樹脂層１２と、接続ボルト１３とから構成されている。第２バスバー１１は、平板部１４とこの平板部１４の一辺に沿って設けられた第２挿入孔部１５とから構成されている。平板部１４には、ボルト挿通孔１４ａが形成されている。このボルト挿通孔１４ａに接続ボルト１３が挿入されている。接続ボルト１３は、第２絶縁樹脂層１２によって回転阻止され、且つ、ボルト挿通孔１４ａに対し抜け止めされている。第２バスバー１１には接続ボルト１３を用いてヒューズ付きの分岐ブロック（図示せず）が接続され、この分岐ブロックの複数の出力端子が各負荷側に電気的に接続されている。
【００２３】
第２挿入孔部１５は、間隔を置いて設けられた複数のリング部１５ａより構成されている。各リング部１５ａの外周には、第２絶縁樹脂層１２の噛み合いリブ部１２ａが設けられている。
【００２４】
第１ブロック部２と第２ブロック部１０は、双方の複数の噛み合いリブ部４ａ，１２ａを互いに嵌め込むことによって直交方向に組み合わされ、この組み合わせ状態で第１挿入孔部６と第２挿入孔部１５が同軸上に配置される。つまり、第１挿入孔部６と第２挿入孔部１５によって、第１ブロック部２と第２ブロック部１０の連結位置にピン挿入孔１６が形成される。
【００２５】
電源断続用ピン２０Ａは、図３に詳しく示すように、円柱形状の軸部２１と、この軸部２１の一端に固定された絶縁頭部２２と、絶縁頭部２２に固定された引っ張り紐２３とから構成されている。軸部２１は、ピン挿入孔１６に圧入される寸法で、導電部材より形成されている。絶縁頭部２２は、絶縁樹脂材より形成されている。
【００２６】
上記構成において、電源分配器のヒューズブロック１Ａは、図１（ｂ）に示すように、第１ブロック部２と第２ブロック部１０の双方の噛み合いリブ部４ａ，１２ａを互いに嵌め込むように組み合わせ、ピン挿入孔１６に電源断続用ピン２０Ａを圧入することによって組み付けされる。そして、電源断続用ピン２０Ａがピン挿入孔１６に挿入された状態では、第１バスバー３と第２バスバー１１間が電源断続用ピン２０Ａを介して電気的に接続される。電源断続用ピン２０Ａをピン挿入孔１６から外すと、第１ブロック部２と第２ブロック部１０の連結状態が解除される。そして、第１バスバー３と第２バスバー１１間が電気的に遮断される。
【００２７】
以上、第１ブロック部２と第２ブロック部１０の連結位置に配置される電源断続用ピン２０Ａによって回路の断続を行うことができるため、長期不使用時やメンテナンス時の回路断続操作が容易にできる。又、電源断続用ピン２０Ａは、第１バスバー３を有する第１ブロック部２と第２バスバー１１を有する第２ブロック部１０の連結箇所に配置されるため、スイッチ部の専用スペースが必要ない。
【００２８】
この第１実施形態では、電源断続構造を電源分配器に適用したので、電源分配器の位置で回路の断続を行うことができるため、電源系統の集中管理が可能である。
【００２９】
この第１実施形態では、第１バスバー３と第２バスバー１１を一体部材ではなく別部材として形成されているので、バスバーの折り曲げ加工を行うことなく第１バスバー３と第２バスバー１１をそれぞれ所定の向きに配置したヒューズブロック１Ａを作製できる。つまり、第１バスバー３と第２バスバー１１を一体部材として形成した場合には、その境界位置で折り曲げ加工を行う必要があるが、その必要がない。
【００３０】
（第２実施形態）
図４〜図７は本発明の電源断続構造を電源分配器のヒューズブロックを適用した第２実施形態を示し、図４（ａ）は電源分配器のヒューズブロック１Ｂの要部平面図、図４（ｂ）は電源分配器のヒューズブロック１Ｂの要部正面図、図４（ｃ）は電源分配器のヒューズブロック１Ｂの要部側面図、図５は電源断続用ピン２０Ｂの斜視図、図６（ａ）は電源断続用ピン２０Ｂがオン位置である場合の図４（ｃ）のＢ部拡大図、図６（ｂ）は電源断続用ピン２０Ｂがオン位置である場合の図４（ｂ）のＡ−Ａ線断面図、図７（ａ）は電源断続用ピン２０Ｂがオフ位置である場合の図４（ｃ）のＢ部拡大図、図７（ｂ）は電源断続用ピン２０Ｂがオフ位置である場合の図４（ｂ）のＡ−Ａ線断面図である。
【００３１】
図４〜図７において、電源分配器は車両に搭載されている。この電源分配器のヒューズブロック１Ｂは、第１ブロック部２と第２ブロック部１０と電源断続用ピン２０Ｂとを備えている。第１ブロック部２と第２ブロック部１０は一体部材にて構成されている。第１ブロック部２と第２ブロック部１０はほぼ直交方向に配置され、この交差箇所で互いに連結されている。第１ブロック部２と第２ブロック部１０の連結位置にピン挿入孔１６が形成されている。
【００３２】
第１ブロック部２は、導電性の第１導電部材である第１バスバー３と、この第１バスバー３の適所を被うように配置された第１絶縁樹脂層４とから構成されている。第１バスバー３は、平板状であり、接続用孔５ａが形成されている。接続用孔５ａの周囲は、第１絶縁樹脂層４が配置されずに第１バスバー３が露出されている。この接続用孔５ａを用いてバッテリ接続端子（図示せず）が固定され、バッテリ接続端子を介してバッテリポスト（図示せず）に直付けされる。つまり、第１バスバー３は、電源（バッテリー）側に接続されている。第１バスバー３の一端側の端面は、ピン挿入孔１６の内面に露出されている。
【００３３】
第２ブロック部１０は、導電性の第２導電部材である第２バスバー１１と、この第２バスバー１１の適所を被うように配置された第２絶縁樹脂層１２と、接続ボルト１３とから構成されている。第２バスバー１１は、平板状であり、ボルト挿通孔１４ａが形成されている。このボルト挿通孔１４ａに接続ボルト１３が挿入されている。接続ボルト１３は、第２絶縁樹脂層１２によって回転阻止され、且つ、ボルト挿通孔１４ａに対し抜け止めされている。第２バスバー１１には、接続ボルト１３を用いてヒューズ付きの分岐ブロック（図示せず）が接続され、この分岐ブロックの複数の出力端子が各負荷側に電気的に接続されている。
【００３４】
第２バスバー１１の一端側の端面は、ピン挿入孔１６の内面に露出されている。第２バスバー１１の一端側の端面は、第１バスバー３の一端側の端面に対し略９０度回転位置で露出されている。
【００３５】
電源断続用ピン２０Ｂは、図５に詳しく示すように、円柱形状の軸部２１と、この軸部２１の一端に固定された絶縁頭部２２とから構成されている。軸部２１は、ピン挿入孔１６に圧入される寸法である。軸部２１は、Ｌ字状の導電体２１ａとこれの外周を被うように配置された絶縁体２１ｂとから構成されている。Ｌ字状の導電体２１ａは、略９０度回転位置で絶縁体２１ｂの外周面より露出されている。絶縁頭部２２には、つまみ部２２ａが突設されている。このように構成された電源断続用ピン２０Ｂは、ピン挿入孔１６に回転自在に挿入されている。第１絶縁樹脂層４と第２絶縁樹脂層１２の連結箇所で、且つ、電源断続用ピン２０Ｂの絶縁頭部２２より回転外周位置には、オン表示とオフ表示が形成されている。電源断続用ピン２０Ｂのつまみ部２２ａがオン回転位置では、図６（ａ）、（ｂ）に示すように、導電体２１ａの両端面が第１バスバー３と第２バスバー１１の各端面に当接する位置に位置される。電源断続用ピン２０Ｂのつまみ部２２ａがオフ回転位置では、図７（ａ）、（ｂ）に示すように、導電体２１ａの一方の端面が第２バスバー１１に当接する位置に位置されるが、導電体２１ａの他方の端面が第１バスバー３に当接しない位置に位置される。
【００３６】
上記構成において、図６（ａ）、（ｂ）に示すように、電源断続用ピン２０Ｂの回転位置がオフ位置の場合には、第１バスバー３と第２バスバー１１の間が電源断続用ピン２０Ｂを介して電気的に接続される。図７（ａ）、（ｂ）に示すように、電源断続用ピン２０Ｂの回転位置がオン位置の場合には、第１バスバー３と第２バスバー１１の間が電気的に遮断される。
【００３７】
以上、第１ブロック部２と第２ブロック部１０の連結位置に配置される電源断続用ピン２０Ｂによって回路の断続を行うことができるため、長期不使用時やメンテナンス時の回路断続操作が容易にできる。特に、この第２実施形態では、電源断続用ピン２０Ｂの回転によって回路の断続を行うことができるため、回路断続操作が非常に簡単である。又、電源断続用ピン２０Ｂは、第１バスバー３を有する第１ブロック部２と第２バスバー１１を有する第２ブロック部１０の連結箇所に配置されるため、スイッチ部の専用スペースが必要ない。
【００３８】
この第２実施形態では、電源断続構造を電源分配器に適用したので、電源分配器の位置で回路の断続を行うことができるため、電源系統の集中管理が可能である。
【００３９】
この第２実施形態では、第１バスバー３と第２バスバー１１を一体部材ではなく別部材として形成するので、バスバーの折り曲げ加工を行うことなく第１バスバー３と第２バスバー１１をそれぞれ所定の向きに配置したヒューズブロック１Ａを作製できる。つまり、第１バスバー３と第２バスバー１１を一体部材として形成した場合には、その境界位置で折り曲げ加工を行う必要があるが、その必要がない。その上、この第２実施形態では、第１実施形態のように第１バスバー３と第２バスバー１１に複数のリング部６ａ，１５ａをそれぞれ設ける必要がないため、第１バスバー３と第２バスバー１１の作製が更に容易である。
【符号の説明】
【００４０】
２  第１ブロック部
３  第１バスバー（第１導通部材）
６  第１挿入孔部
１０  第２ブロック部
１１  第２バスバー（第２導通部材）
１５  第２挿入孔部
１６  ピン挿入孔
２０Ａ，２０Ｂ  電源断続用ピン
【図１】
0005520565.tif 000002
【図２】
0005520565.tif 000003
【図３】
0005520565.tif 000004
【図４】
0005520565.tif 000005
【図５】
0005520565.tif 000006
【図６】
0005520565.tif 000007
【図７】
0005520565.tif 000008
【図８】
0005520565.tif 000009
【図９】
0005520565.tif 000010